(57)【要約】【課題】  河川や湖沼や排水升や地下水等の閉鎖水域の状況に適合した形態で複数のボールを連設し、且つ、該ボールのそれぞれの係止穴部に各一箇所ずつ、リング付固着金具を勘着して設け、且つ、該リング付固着金具のリング部に係着手段を連通固着し連設して設けた浄化装置を開発・提供する。【解決手段】  外観形状が球形で、内部に球形状の中空部を有し、且つ、素材が樹脂部材で形成したボールを設け、且つ、該ボールの表面全域に表面から中空部に賭けて複数の貫通穴を設け、且つ、該ボールの中空部に、ＥＭ菌やアガリスク菌やゼオライトや活性炭等の水質浄化剤を充填内蔵して設け、且つ、該複数のボールを目的・用途・環境条件等に適合した施工形態により設置し、且つ、該ボールの貫通穴部のそれぞれ一箇所にリング付固着金具を勘着して設け、且つ、該リング付固着金具にそれぞれロープやワイヤーやチェーン等の係着手段を連通固着し、連設して設けたものである。【選択図】  図１
2005118654.tif 000002
【特許請求の範囲】
【請求項１】
河川や湖沼や排水升等の閉鎖水域、或いは集水貯留設備（Ｗ）等の有機ヘドロや懸濁物等を除去し浄化する浄化装置（Ｓ）であって、外観形状が球形で、内部に球形状の中空部（１ｂ）を有し、且つ、素材がプラスチック等の樹脂部材で形成したクリーナーボール（１）を設け、且つ、該クリーナーボール（１）の表面全域に表面から中空部に向けて複数の貫通穴（１ａ）を設け、且つ、該クリーナーボール（１）の中空部（１ｂ）に、ＥＭ菌（２）やアガリスク菌（３）やゼオライト（４）や活性炭（５）等の水質浄化剤を充填内蔵して設けた事を特徴とする浄化装置。
【請求項２】
外観形状が球形で、内部に球形状の中空部（１ｂ）を有し、且つ、素材がプラスチック等の樹脂部材で形成した網状のクリーナーボール（１’）を設け、且つ、該クリーナーボール（１’）の中空部（１ｂ）に、ＥＭ菌（２）やアガリスク菌（３）やゼオライト（４）や活性炭（５）等の水質浄化剤を充填内蔵して設けた事を特徴とする請求項１記載の浄化装置。
【請求項３】
複数のクリーナーボール（１）（１’）を目的・用途・環境条件等に適合した施工形態により設置し、且つ、該クリーナーボール（１）（１’）に設けた複数の貫通穴部（1ａ）のそれぞれ一箇所、又は複数箇所に、リング付固着金具（ＬＫ）を嵌着して設け、且つ、該リング付固着金具（ＬＫ）にロープやワイヤーやチェーン等の係着手段（ＲＣ）で連通固着し、連設して設けた事を特徴とする請求項１、又は２記載の浄化装置。
【請求項４】
複数の着脱式回転用羽根板（６ｄ）付クリーナーボール（１）（１’）の両端中心部に軸受部（６ｂ）を設け、且つ、該両端軸受部（６ｂ）にＬ字形状の軸部（６ａ）の一端部を軸着し、且つ、該両軸部の他端部を固定板（６ｃ）により連結固着した着脱式回転用羽根板付クリーナーボール（６）を設け、且つ、該着脱式回転用羽根板付クリーナーボール（６）を排水ピット（Ｐ）等の側溝側面部（Ｐ’）に固着して設けた事を特徴とする請求項１、又は２記載の浄化装置。
【請求項５】
複数のクリーナーボール（１）（１’）の両端貫通穴（１ａ）部に、着脱自在な連結金具（Ｊ）でリング状に連結し、且つ、水面に浮上、或いは、水底に沈下させて使用可能にした事を特徴とする請求項１、又は２記載の浄化装置。
【発明の詳細な説明】
【技術分野】
【０００１】
この発明は、河川や湖沼や排水升や地下水等の閉鎖水域、或いは、集水貯留設備等のヘドロや懸濁物等を除去し浄化する浄化装置に関するものである。
【背景技術】
【０００２】
従来の浄化装置としては、球形状のポーラスコンクリートボールを使用したものが有り、多孔質で透水性の大きい特性を生かして藻類等の付着により魚類等の生息を促す事を目的としたものがあるが出願はされていない。
【０００３】
叉、上記のポーラスコンクリートボール型浄化装置は混入材を単体で使用すると、水の流れで物が散乱して回収不可能になり、使用した物の特性を生かしきれない等の問題があった。
【０００４】
叉、上記以外の浄化装置としては、例えば地下水浄化装置が出願されており、これは地盤の表面から帯水層に向けて井戸を掘削し、井戸に井戸内部を上下に水密に区画する止水体を設けると共に、止水体を上下に貫通するパイプを設ける一方、帯水層の地下水面よりも上下の位置に井戸内外の水の移動を許容するスクリーンを設けておき、揚水ポンプを運転してパイプを通じ帯水層中の地下水を揚水すると共に、地下水をパイプの上端から井戸内に噴出させ、噴出させた地下水を、スクリーンを通じて地盤内に供給するとともに、井戸内部の止水帯の上下の空気を浄化装置により吸引・浄化処理するものである。（例えば、特許文献１を参照。）
しかし、これもまた品質・機能や施工上の問題等、改善すべき課題がある。
【特許文献１】特許公開２０００−２１０６５６
【発明の開示】
【発明が解決しようとする課題】
【０００５】
そこで、この発明は上記課題を達成する為に、河川や湖沼や排水升や地下水等の閉鎖水域の状況に適合した形態で複数のクリーナーボールを連設し、且つ、該クリーナーボールのそれぞれの係止穴部に各一箇所ずつ、リング付固着金具を嵌着して設け、且つ、該リング付固着金具のリング部にロープやワイヤーやチェーン等の係着手段を連通固着し連設して設けた浄化装置を開発・提供するものである。
【課題を解決するための手段】
【０００６】
この課題を解決する為の手段として、この発明は外観形状が球形で、内部に球形状の中空部を有し、且つ、素材がプラスチック等の樹脂部材で形成したクリーナーボールを設け、且つ、該クリーナーボールの表面全域に表面から中空部に賭けて複数の貫通穴を設け、且つ、該クリーナーボールの中空部に、ＥＭ菌やアガリスク菌やゼオライトや活性炭等の水質浄化剤を充填内蔵して設け、且つ、該複数のクリーナーボールを目的・用途・環境条件等に適合した施工形態により設置し、且つ、該クリーナーボールの貫通穴部のそれぞれ一箇所、又は複数箇所にリング付固着金具を嵌着して設け、且つ、該リング付固着金具にそれぞれロープやワイヤーやチェーン等の係着手段を連通固着し、連設して設けたものである。
【発明の効果】
【０００７】
素材をプラスチック等の樹脂部材で中空球形状に形成したクリーナーボールの表面全域に小穴を設け、且つ中空部に目的物（水質浄化剤）を充填し乾燥させ、且つ、連設して設ける事で、河川や湖沼や排水升や地下水等の有機ヘドロや懸濁物等を除去し浄化する.事を可能にする。
【０００８】
又、クリーナーボールの小穴部にリング付固着金具を嵌着し、且つ、該リング付固着金具のリング部にロープやワイヤーやチェーン等の係着手段を連通固着して設ける事で、河川や湖沼や排水升や地下水等で発生する風雨等の悪天候による放流や破壊等を防止する事が出来る。
【発明を実施するための最良の形態】
【０００９】
そこで、この発明の最良の形態は、河川や湖沼等の汚濁状況や施工場所の状況、或いは使用目的等に応じた最適なクリーナーボールの集合体をユニット化する事が望まれる。
【実施例１】
【００１０】
そこで、この発明の一実施例を図１〜図２に従って詳述すると、外観形状が球形で、内部に球形状の中空部（１ｂ）を有し、且つ、素材がプラスチック等の樹脂部材で形成したクリーナーボール（１）を設け、且つ、該クリーナーボール（１）の表面全域に表面から中空部に賭けて複数の貫通穴（１ａ）を設け、且つ、該クリーナーボール（１）の中空部（１ｂ）に、ＥＭ菌（２）やアガリスク菌（３）やゼオライト（４）や活性炭（５）等の水質浄化剤を充填内蔵して設けた事を特徴とする浄化装置から構成される。
【００１１】
又、外観形状が球形で、内部に球形状の中空部（１ｂ）を有し、且つ、素材がプラスチック等の樹脂部材で形成した網状のクリーナーボール（１’）を設け、且つ、該クリーナーボール（１’）の中空部（１ｂ）に、ＥＭ菌（２）やアガリスク菌（３）やゼオライト（４）や活性炭（５）等の水質浄化剤を充填内蔵して設けた浄化装置から構成される。
【００１２】
叉、複数のクリーナーボール（１）（１’）を目的・用途・環境条件等に適合した施工形態により設置し、且つ、該クリーナーボール（１）（１’）に設けた複数の貫通穴部（１ａ）のそれぞれ一箇所、又は複数箇所に、リング付固着金具（ＬＫ）を嵌着して設け、且つ、該リング付固着金具（ＬＫ）にロープやワイヤーやチェーン等の係着手段（ＲＣ）で連通固着し、連設して設けた事を特徴とする浄化装置から構成される。
【００１３】
次に、クリーナーボール（１）の形状と大きさについて説明すると、外径寸法が直径φ２０〜１５０ｍｍの球形状で、内部には球形状をした中空を有し、該中空部の中には通常ではＥＭ菌（２）とアガリスク（３）とゼオライト（４）と活性炭（５）等の水質浄化剤を入れる。又、用途別にサイズ分別すると、グリーストラップ等の油脂落しに使用するものは、φ５０ｍｍ程度で、河川や湖沼には１００〜１５０ｍｍを使用し、排水升には２０から１５０ｍｍのものを使用する。
【００１４】
そして、上記水質浄化剤の充填方法について説明すると、図２に示す様に加圧容器（Ｔ）中の底部にクリーナーボール（１）を入れ、その上部に金網（Ｍ）を置き、更にその上から液状にしたＥＭ菌（２）やアガリスク菌（３）やゼオライト（４）や活性炭（５）等の水質浄化財を入れ、加圧容器（Ｔ）の蓋をし、空気圧力によって加圧する事によってクリーナーボール（１）の貫通穴部（１ａ）を通って中空部（１ｂ）に充填する。そして、充填したクリーナーボール（1）を乾燥機に入れて乾かして完了する。
【００１５】
次に、クリーナーボール（１）の施工要領について説明すると、図３に示す様に、それぞれのクリーナーボール（１）の貫通穴部（１ａ）に、各一箇所、又は複数箇所ずつリング付固着金具（ＬＫ）を嵌着し、目的・用途・環境条件等に適合した施工形態にクリーナーボール（１）を積み上げ、更に、それぞれのリング付固着金具（ＬＫ）のリング部にロープやワイヤーやチェーン等の係着手段（ＲＣ）を連通固着し、全体を固定する。
【００１６】
叉、上記図３に示す事例ではクリーナーボール（１）は前後左右に等間隔で二段に連設されているが、環境条件や汚濁状況に応じて一段にも三段にも増減調整し施工可能である。
【実施例２】
【００１７】
又、その他の実施例として、複数の着脱式回転用羽根板（６ｄ）付クリーナーボール（１）（１’）の両端中心部に軸受部（６ｂ）を設け、且つ、該両端軸受部（６ｂ）にＬ字形状の軸部（６ａ）の一端部を軸着し、且つ、該両軸部の他端部を固定板（６ｃ）により連結固着した着脱式回転用羽根板付クリーナーボール（６）を設け、且つ、該着脱式回転用羽根板付クリーナーボール（６）を排水ピット（Ｐ）等の側溝側面部（Ｐ’）に固着して設けた事を特徴とする浄化装置から構成される。
【００１８】
次に、上記着脱式回転用羽根板付クリーナーボール（６）の概要寸法について説明すると、クリーナーボール（１）（１’）の材質はプラスチック製で、直径はφ７０ｍｍで、肉厚が２ｍｍで、貫通穴の口径は直径φ８ｍｍで口径数は４２個で、穴の配置は上部から下部までの距離（半円周）を穴の中心点で八分割する様に開き、且つ、八方向に分布している。
【００１９】
又、クリーナーボール（１）（１’）の外周部に取り付ける羽根（６ｄ）は、プラスチック製で、等間隔に八枚着脱可能に取り付けられ、板厚（ｔ）が１．５ｍｍで、幅（Ｂ）が６０ｍｍで、軸中心から羽根の外周部までの高さ（ＲＨ）が５０ｍｍ程度で、各羽根の角部はＲ５ｍｍの面取りがされている。又、軸心から固定板（６ｃ）の底面までの高さ寸法（Ｈ）が約８５ｍｍで、軸径（ｄ）がφ１０ｍｍで形成されている。
【００２０】
そして、着脱式回転用羽根板付クリーナーボール（６）の取り付け要領は、図５に示す様に、排水ピット等の側溝側面部に固着し排水口から流出してくる水が羽根に当たってクリーナーボールが回転する。従って、クリーナーボールの全面に水を均等に当てる事でムラなく効率的に浄化する事が出来る。
【実施例３】
【００２１】
又、その他の使用方法として、複数のクリーナーボール（１）（１’）の両端貫通穴（１ａ）部に、着脱自在な連結金具（Ｊ）でリング状に連結し、且つ、水面に浮上、或いは、水底に沈下させて使用可能にした事を特徴とする浄化装置から構成される。
【００２２】
図６（Ａ）に示す様に、複数のクリーナーボール（１）（１’）単体のそれぞれの貫通穴部（１ａ）に連結金具（Ｊ）を設け、リング状に形成し、水上に浮かせて動かしながら水面を浄化する方法もある。
【００２３】
又、図６（Ｂ）は、クリーナーボール（１）（１’）の連結部の拡大詳細図で、ワンタッチ式で、着脱可能な連結金具（Ｊ）を使用する事により、リング状を形成する。
【産業上の利用可能性】
【００２４】
本発明のクリーナーボール（１）（１’）は河川や湖沼や水升等の閉鎖水域、或いは集水貯留設備（Ｗ）等の水質浄化以外にも、透水性・通気性に優れている為、水の地下浸透や地下水の涵養等、水の制御機能が有り、水質の安定等に寄与する点で産業上の利用可能性を有する。
【図面の簡単な説明】
【００２５】
【図１】この発明の一実施例を示し、正面図を示す。
【図２】この発明の一実施例を示し、加圧容器による水質浄化剤の充填方法を示す正面図である。
【図３】この発明の使用例を示し、斜視図である。
【図４】この発明のその他の実施例を示し、（Ａ）は着脱式回転用羽根板付クリーナーボールの平面図で、（Ｂ）は側面図である。
【図５】この発明のその他の使用例を示し、側溝部の断面図である。
【図６】この発明のその他の使用例を示し、（Ａ）はリング状に連結形成したクリーナーボールの平面図で、（Ｂ）は図６（Ａ）のａ部拡大詳細図である。
【符号の説明】
【００２６】
１  クリーナーボール
１’  クリーナーボール
１ａ  貫通穴
１ｂ  中空部
２  ＥＭ菌
３  アガリスク菌
４  ゼオライト
５  活性炭
６  着脱式回転用羽根板付クリーナーボール
６ａ  軸
６ｂ  軸受け
６ｃ  固定板
６ｄ  羽根
Ｐ  排水ピット
Ｐ’  排水ピットの側溝側面部
Ｊ  連結金具
Ｓ  浄化装置
Ｔ  加圧容器
Ｍ  金網
ＬＫ  リング付固着金具
ＲＣ  ロープやワイヤーやチェーン等の係着手段
Ｗ  河川や湖沼や排水升等の閉鎖水域、或いは集水貯留設備
【図１】
2005118654.tif 000003
【図２】
2005118654.tif 000004
【図３】
2005118654.tif 000005
【図４】
2005118654.tif 000006
【図５】
2005118654.tif 000007
【図６】
2005118654.tif 000008